(57)【要約】【課題】安定器の種類に拘わらず最適なインピーダンスでの点灯ができるＬＥＤランプを提供する。【解決手段】照明装置２００は、照明器具１５０とこれに取り付けられるＬＥＤランプとしての直管形ＬＥＤランプ１００とを備えている。直管形ＬＥＤランプ１００の内部には、ＬＥＤ電流検出回路３８が設けられている。ＬＥＤランプを別の場所に設置する前にＬＥＤ電流検出回路３８により検出された電流値をメモリ装置３９又はマイクロコンピュータ４２の内部のメモリ装置に記憶しておく。ＬＥＤランプを別の場所に設置した後にＬＥＤ電流検出回路３８により検出された電流値が記憶された電流値より例えば２０％以上異なる（大きな）場合、マイクロコンピュータ４２は記憶されているキャリブレーション値をリセットし、再度該安定器で最適なインピーダンスポイントを探すキャリブレーションを行う。【選択図】図１
2017098045.tif 000002
【特許請求の範囲】
【請求項１】
ランプ本体と、
前記ランプ本体の内部に配置されたＬＥＤ素子と、
照明器具に設けられている安定器のインピーダンスポイントを探すためにキャリブレーションを実行する制御手段と、
前記安定器に前記ランプ本体が電気的に接続された際に実行されるキャリブレーションの結果を記憶する記憶手段と、
を備え、
前記制御手段は、所定の条件となったときに、前記キャリブレーションの結果をリセットし、再度キャリブレーションを実行するＬＥＤランプ。
【請求項２】
請求項１に記載のＬＥＤランプにおいて、
前記所定の条件が、前記ＬＥＤ素子に流れる電流の変化であるＬＥＤランプ。
【請求項３】
請求項１に記載のＬＥＤランプにおいて、
前記所定の条件が、前記安定器から出力される周波数の変化であるＬＥＤランプ。
【請求項４】
請求項１に記載のＬＥＤランプにおいて、
前記所定の条件が、ＬＥＤランプを点灯させるための壁スイッチのオン・オフ操作が連続して所定の回数なされたことであるＬＥＤランプ。
【請求項５】
請求項１〜４のいずれか１つに記載のＬＥＤランプと、前記ＬＥＤランプを装着する照明器具とを備えた照明装置。
【発明の詳細な説明】
【技術分野】
【０００１】
本発明は、ＬＥＤランプ及び照明装置に関する。
【背景技術】
【０００２】
ＬＥＤ（Light Emitting Diode）素子を光源とするＬＥＤランプが商品化されている。
蛍光灯を点灯させるための既存の照明器具を、安定器の構造を変更することなくそのまま用いてＬＥＤランプを点灯することが行われている。このようなＬＥＤランプは工事レスタイプと呼ばれている。
この種のタイプのＬＥＤランプでは、ランプ内にマイクロコンピュータが搭載されており、接続される安定器毎に最適なインピーダンス制御を行うことでより省エネルギー性を確保するようになっている。
【０００３】
上記インピーダンス制御では、ＬＥＤランプの最初の設置時に接続される安定器で最適なインピーダンスポイントを探すキャリブレーションを実行し、その結果を記憶しておいて次回からの通電では記憶されたキャリブレーション値を流用することでキャリブレーションプロセスを省略していた。
特許文献１には、多数のＬＥＤを別々に制御するという課題を解決する目的で、電力及び制御信号を供給して直列配線の発光ダイオードなどの電子部品を駆動する技術が開示されている。
【発明の概要】
【発明が解決しようとする課題】
【０００４】
例えば、ユーザーが引っ越しして今まで使っていた安定器と異なる安定器にＬＥＤランプを接続した場合、ＬＥＤランプは記憶されているキャリブレーション値で点灯されることになる。
この場合、異なる安定器に対応したキャリブレーションは行われないため、最適なインピーダンスでの点灯ができなくなり、省エネルギー性が劣るという問題があった。
【０００５】
本発明は、このような現状に鑑みて創案されたもので、安定器の種類に拘わらず最適なインピーダンスでの点灯ができるＬＥＤランプの提供を、その主な目的とする。
【課題を解決するための手段】
【０００６】
上記目的を達成するために、本発明のＬＥＤランプは、ランプ本体と、前記ランプ本体の内部に配置されたＬＥＤ素子と、照明器具に設けられている安定器のインピーダンスポイントを探すためにキャリブレーションを実行する制御手段と、前記安定器に前記ランプ本体が電気的に接続された際に実行されるキャリブレーションの結果を記憶する記憶手段と、を備え、前記制御手段は、所定の条件となったときに、前記キャリブレーションの結果をリセットし、再度キャリブレーションを実行する。
【発明の効果】
【０００７】
本発明によれば、安定器の種類に拘わらず最適なインピーダンスでの点灯ができるＬＥＤランプを提供できる。
【図面の簡単な説明】
【０００８】
【図１】本発明の第１の実施形態に係る照明装置の回路図である。
【図２】第２の実施形態におけるキャリブレーションのリセット印加方法を示す図である。
【図３】照明装置の分解斜視図である。
【図４】直管形ＬＥＤランプのカバーを取り外した状態の斜視図である。
【図５】直管形ＬＥＤランプの筐体の一部をカットし、口金を外した状態の斜視図である。
【図６】直管形ＬＥＤランプの構成を示す図で、（ａ）は一端部における一部切り欠きの分解斜視図、（ｂ）は他端部における一部切り欠きの分解斜視図である。
【図７】ＬＥＤ基板の実装構成を示す図で、（ａ）は一端部の分解斜視図、（ｂ）は他端部の分解斜視図である。
【図８】直管形ＬＥＤランプにおいて、図４のＡ方向から見た図である。
【図９】図５のＢ部分の拡大斜視図である。
【図１０】クランプによる筐体に対する電源基板の固定構造を示す要部断面図である。
【図１１】変形例における図８相当図である。
【発明を実施するための形態】
【０００９】
以下、本発明の実施形態を図を参照して説明する。
まず、図３乃至図８に基づいて、本実施形態に係る直管形ＬＥＤランプ及び照明装置の基本的な構成を説明する。
図３は、照明装置２００の外観を示す分解斜視図である。照明装置２００は、ＬＥＤランプとしての直管形ＬＥＤランプ１００と、直管形ＬＥＤランプ１００を装着する照明器具（灯具）１５０とを備えている。
照明器具１５０は、蛍光灯を点灯させるための器具と同じものであり、ソケット１５１ａ、１５１ｂの穴位置に合わせて直管形ＬＥＤランプ１００の端子（４ａ〜４ｄ）を差し込む。
商業用電流が端子（４ａ〜４ｄ）から直管形ＬＥＤランプ１００内の後述するＬＥＤ素子に流れ、直管形ＬＥＤランプ１００が点灯するようになっている。
【００１０】
直管形ＬＥＤランプ１００は、主に、棒状（平板状、筒状の概念を含む）の筐体２と、透光性で且つ拡散性のカバー部材としてのカバー３と、照明器具１５０に電気的に接続可能な口金１ａ、１ｂとから構成されている。
ここでは、カバー３は透明のものを用いている。カバー３の拡散性は、カバー表面にプリズム状の凹凸を付加するなどして形状的に付与してもよく、拡散材料を含むことにより付与してもよい。
拡散材料を含む場合には、拡散材料でカバー３全体を形成してもよく、拡散材料を添加ないし含有させて拡散性を付与してもよい。
【００１１】
筐体２は、断面形状が長手方向（軸方向）全体に亘って略同一の半円筒状（筒状）に形成されている。
内部で生じる熱の放熱機能を向上させるために、筐体２の外面には凹凸が付与され（図８参照）、表面積を大きくしている。
筐体２は、熱伝導率の大きい金属材料で形成されている。筒形状であるために、押出し成形や引き抜き成形等の加工方法により、断面形状が均一な筐体２を安価に製作できる。
【００１２】
金属材料としては、アルミニウム合金やマグネシウム合金が多く用いられるが、他の押出し材料等でも良い。
外周部の凹凸により、リブや放熱フィンを設けるのと同じような放熱機能を持たせることができる。
ここでは放熱性向上を目的として、筐体２の外周部に凹凸を設けるようにしているが、筐体２と後述する駆動基板（電源基板）や電気部品との絶縁性が確保できれば内周部に凹凸を設けても良い。
【００１３】
カバー３は、筐体２の外径とほぼ同じ外径（曲率）を有し、筐体２の長手方向に沿う開口部を有する半円形状に形成されている。
すなわち、カバー３は円弧状の断面形状を有し、筐体２の一側面を長手方向に亘って覆う大きさを有している。
カバー３は、図８に示すように、筐体２の外面に設けた軸方向に延びる溝２１に、端縁３３を嵌め込む形で取り付けられ、筐体２との一体構成は円筒形状となる。
図３に示すように、口金１ａ、１ｂは、筐体２とカバー３との一体構成であるランプ本体の長手方向両端部にその外面を覆うように設けられている。
口金１ａ、１ｂには、図６に示すように、蛍光灯を点灯可能な照明器具（蛍光灯照明器具）１５０に搭載可能な端子４ａ〜４ｄが装備されている。
【００１４】
口金１ａ、１ｂの端子４ａ〜４ｄと、口金１ａ、１ｂに接続されたコネクタ１６から延びるリ−ド線６ａ、６ｂを介して電源基板７に電流が供給される。
端子４ａ〜４ｄと、リ−ド線６ａ、６ｂとを直接はんだ付けなどの方法で電気的に接続しても問題はない。
口金１ａ、１ｂは、複数のねじ５ａ〜５ｄによって筐体２に固定されることで、筐体２とこれに嵌合されたカバー３とが一体になるように包み込んでいる。
【００１５】
口金１ａ、１ｂは、ねじ止めではなく、筐体２にカシメ等の手段により固定してもよい。口金１ａ、１ｂの形状は、既存の蛍光灯の両端部に位置する口金と略同一の形状となっている。
したがって、蛍光灯が用いられている既存の照明器具に対して、直管形ＬＥＤランプ１００を蛍光灯に代えて取り付けることにより、照明器具の交換を要することなくＬＥＤランプの照明装置を構成することができる。
これにより、別途新たな照明器具を取り付ける場合に比べて、設備コストや工事コストを大幅に低減できるとともに、交換作業の労力の低減、時間短縮を実現できる。
【００１６】
図８に示すように、筐体２の平坦部（半円形の弦に相当する部分）３２の外側であってカバー３の内方には、カバー３に対向して、実装基板としてのＬＥＤ基板１１が粘着性を有するシート１０を介して固定（支持）されている。
シート１０は、ＬＥＤで発生する熱を筐体２に伝え易くするために、すなわち放熱を促進させるために、熱伝導性のよい材質（例えば放熱シリコ−ンゴム等）が望ましい。
電源基板７は、平坦部３２の内側に沿うように、筐体２の内部に配置されている。
図４に示すように、ＬＥＤ基板１１は細長い長方形状のプリント基板であり、ＬＥＤ基板１１ａとＬＥＤ基板１１ｂとから構成されている。
【００１７】
ＬＥＤ基板１１の分割構成に対応して、シート１０も長手方向に分割されている。
ＬＥＤ基板１１ａ、１１ｂにはそれぞれ、ＬＥＤ素子１２ａ、１２ｂが筐体２の長手方向に所定の間隔で複数実装されている。
ＬＥＤ素子１２は、ＥＬ（Electroluminescence）効果を持つ半導体発光素子光源である。
【００１８】
図５に示すように、電源基板７は筐体２の長手方向に延びる細長い長方形状に形成されており、その実装面には直流電源変換用の電子部品９が長手方向に間隔をおいて複数搭載されている。
【００１９】
電子部品９によって直流に整流された電流は、図７（ａ）に示すリード線１３ａ、１３ｂを通して実装基板１１ａ、１１ｂに供給される。
ＬＥＤ基板１１ａ、１１ｂの間は、図示しないリード線やジャンパー線などで電気的に接続されている。
本実施形態では半導体発光素子を実装する実装基板（ＬＥＤ基板）を２枚の直列配置構成としているが、１枚や３枚以上の直列配置構成でもよく、並列構成でもよい。
【００２０】
図１に基づいて本発明の第１の実施形態を説明する。
図１は、照明装置２００の回路図である。照明器具１５０には外部から見えない状態に安定器３５が配置されている。符号３６は交流電源を示している。
直管形ＬＥＤランプ１００の内部には、周波数判別回路３７と、ＬＥＤ電流検出回路３８と、記憶手段としてのメモリ装置３９と、インピーダンス制御部４０と、スイッチング回路４１と、これらを制御する制御手段としてのマイクロコンピュータ４２とが備えられている。
【００２１】
周波数判別回路３７は、電源周波数の精度を含めたばらつきを考慮しても、安定器３５の方式がグロースタータ式又はラピッドスタート式の場合における周波数（５０／６０±１Ｈｚ）と、市場に流通するインバータ式の場合における周波数（２０〜１００ｋＨｚ）とを明確に峻別できるため、その峻別結果に応じてキャリブレーションのリセット手段として使用可能である。
周波数判別回路３７の回路構成としては、所定のカットオフ周波数を設定し、Ｈｉｇｈ Ｐａｓｓ Ｆｉｌｔｅｒ構成、またはＬｏｗ Ｐａｓｓ Ｆｉｌｔｅｒ構成とし、その出力をマイクロコンピュータ４２に入力する。
マイクロコンピュータ４２はその入力に応じて、スイッチング回路４１を通すか通さないかの制御モードを選択できる出力をする。また、マイクロコンピュータ４２は、周波数判別結果をメモリ装置３９又はマイクロコンピュータ４２の内部のメモリ装置にログとして残す。
【００２２】
ＬＥＤ電流検出回路３８では、ＬＥＤ素子１２に流れるラインにインピーダンス素子（例えば、抵抗）を設けて、流れる電流により発生するインピーダンス素子両端の電圧を利用する。他に電流センサやホール素子などを使う方法もあるが、コストを考えると前者の方法が好ましい。
流れる電流により発生した電圧は、マイクロコンピュータ４２のＡＤコンバータ端子に入力して変換し、その値をメモリ装置３９又はマイクロコンピュータ４２の内部のメモリ装置にログとして残す。
【００２３】
メモリ装置３９は、周波数判別回路３７の結果とＬＥＤ電流の変換値とがログとして記録される装置である。メモリ装置としては、マイクロコンピュータ４２内部の不揮発性メモリ（Ｆｌａｓｈ ＲＯＭ）でも可能であり、マイクロコンピュータ４２の周辺のＥＥＰＲＯＭでも可能である。マイクロコンピュータ４２は、解析時には前記メモリ装置からログ記録を抽出する。
【００２４】
インピーダンス制御部４０は、マイクロコンピュータ４２の出力信号により、スイッチング動作を行い、ＬＥＤ素子１２に流れる電流を分流する。この動作により、安定器３５からみた場合、インピーダンスを制御することができる。
【００２５】
周波数判別回路３７の判別の結果、直管形ＬＥＤランプ１００への外部入力電流が高周波ではない場合、マイクロコンピュータ４２はスイッチング回路４１を通して高周波でスイッチング動作が行われるように制御し、ＬＥＤ素子１２に一定の電流が流れるようにする。スイッチング回路４１としては、例えば降圧チョッパを用いる。
【００２６】
ユーザーがＬＥＤランプを別の場所に設置した時に、キャリブレーションを自動的にやり直すリセットパターンを説明する。
［リセットパターン１］
ＬＥＤランプを別の場所に設置する前にＬＥＤ電流検出回路３８により検出された電流値をメモリ装置３９又はマイクロコンピュータ４２の内部のメモリ装置に記憶しておく。
ＬＥＤランプを別の場所に設置した後にＬＥＤ電流検出回路３８により検出された電流値が記憶された電流値より例えば２０％以上変化した（大きくなった）場合、すなわち所定の条件となったら、マイクロコンピュータ４２は記憶されているキャリブレーション値をリセットし、再度該安定器で最適なインピーダンスポイントを探すキャリブレーションを実行する。
このリセット動作は、安定器が電子式安定器から電子式安定器に変わった場合に実施される。
【００２７】
［リセットパターン２］
ＬＥＤランプを別の場所に設置する前に周波数判別回路３７により検出された結果（高周波＝電子式安定器、低周波＝ＡＣ＆磁気式安定器）をメモリ装置３９又はマイクロコンピュータ４２の内部のメモリ装置に記憶しておく。
ＬＥＤランプを別の場所に設置した後に周波数判別回路３７により検出された結果が記憶された周波数結果と異なる場合、すなわち安定器が異なる場合は、マイクロコンピュータ４２は所定の条件となったと判断し、記憶されているキャリブレーション値をリセットして再度該安定器で最適なインピーダンスポイントを探すキャリブレーションを実行する。
このリセット動作は、安定器が電子式安定器からＡＣ入力＆磁気式安定器に変わった場合に実施される。
【００２８】
［リセットパターン３］
上記リセットパターンは、ＬＥＤランプの内部におけるリセット印加方法であるが、外部からリセットを印加することもできる（第２の実施形態）。
例えば図２に示すように、ユーザーによって壁スイッチのオン・オフ操作が連続してあるいは連続的に所定の回数（例えば５回）なされた場合、マイクロコンピュータ４２は所定の条件となったと判断し、記憶されているキャリブレーション値をリセットして再度該安定器で最適なインピーダンスポイントを探すキャリブレーションを実行する。
【００２９】
上記各実施形態では、ユーザーがＬＥＤランプを別の場所に設置する例で説明したが、同じ場所での異なる照明器具への移し替え等においても同様に実施することができる。同じ場所でも照明器具ごとに安定器の種類が異なる場合があるからである。
【００３０】
直管形ＬＥＤランプ１００のその他の構成について説明する。
上記のように、電源基板７は筐体２の平坦部３２の内側に設置されている。
電源基板７の電子部品９の実装面と反対の面に電子部品がなく、平坦部３２に塗料などの絶縁物が塗布されて電気的絶縁性が確保できる場合には、直に両者を当接させることができる。
筐体２の内部には、電源基板７を収容可能な凹部３０が形成されている。
【００３１】
電源基板７は、商業用電源から送られてきた電流を交流から直流に変換し、リード線１３ａ、１３ｂを介してＬＥＤ基板１１ａ、１１ｂに電流を供給し、ＬＥＤ１２ａ、１２ｂを点灯させる。
図９に示すように、電源基板７は、その端部に設けた穴２４と筐体２の平坦部３２に設けた穴２５（図１０参照）を合わせるようにしてクランプ１５を挿入することで、筐体２に固定される。
クランプ１５は、電源基板７の長手方向一端部を筐体２に固定するためのロック手段である。
これにより、電源基板７の長手方向の位置ずれを規制することができる。
電源基板７の他端部は、上記のようにリード線１３ａ、１３ｂで押さえられている。
【００３２】
筐体２に設ける穴２５は、ＬＥＤ基板１１ｂよりも外側で、口金１ｂに近い方を選択する（図４参照）。
すなわち、クランプ１５は、電源基板７の口金１ｂに近い側に設置し、且つＬＥＤ基板１１ｂより外側になるように設定する。
このように、クランプ１５をＬＥＤ基板１１の外側に配置することにより、ＬＥＤの光束がけられて陰になることもない。
図７等では、クランプ１５は分かりやすくするために飛び出た形状を示している。
実際には、図１０に示すように、クランプ１５を平坦部３２の外側から挿入して押し込むと、電源基板７の穴２４を抜けた時点で弾性変形部１５ａが外側に広がる。
これにより、電源基板７は筐体２にワンタッチ操作で固定される。
【００３３】
筐体２の外周部に凹凸をつけて放熱効果を向上させ、さらに筐体２の平坦部３２に電源基板７を密着させて設置し、クランプ１５でその密着性を高めているので、電源基板７からの熱を効率的に筐体に逃がすことができる。
【００３４】
図８に示すように、クランプ首下長さｈ１と、（筐体平坦部厚さ＋電源基板厚さ）ｈ２を略同じにすることで、電源基板７に垂直な方向を規制することができる。
すなわち、電源基板７の筐体長手方向と直交する厚み方向の移動を規制することができる。
【００３５】
凹部３０は、平坦部３２と、該平坦部３２から電源基板７の厚み方向に立ち上がる突起としての２本のリブ３１ａ、３１ｂとによって構成されている。
リブ３１ａ、３１ｂの長さＬ（図５参照）を筐体２の長さと同じにしておけば、例えば押出し加工が可能になる。
すなわち、筐体２の成形と同時に一体成形することができ、製造コストの低減を維持することができる。
平坦部３２にリブ３１ａ、３１ｂを形成しているため、突起間は平坦面に形成されている。
【００３６】
図８に示すように、電源基板７の幅をＤ１、リブ３１ａ、３１ｂの間隔をＤ２とするとき、Ｄ２＞Ｄ１の関係が成り立つように設定されている。
すなわち、電源基板７を凹部３０にスムーズに挿入できる幅にしておく。
リブ高さＨ１は、電源基板７の部品実装面と略同等の高さに設定する。
このようにすることで、電源基板７が図の左右方向に動こうとしても、リブ３１ａ、３１ｂを乗り越えることはできない。
【００３７】
したがって、電源基板７はリブ３１ａ、３１ｂによって筐体長手方向と直交する幅方向（左右方向）の位置ずれを阻止される。
これにより、流通時の振動や地震等による振動によって電源基板７が幅方向にずれることが繰り返されることによるリード線の断線（ＬＥＤランプの不意の不点灯）を抑制することができる。
【００３８】
筐体２内で電源基板７を滑らせてセットする際でも、リブ３１ａ、３１ｂをガイドとして使用できるので、位置決めがし易く、スム−ズに挿入できる。
筐体２は押出し成形や引き抜き成形により同一断面形状の筒形状に形成されるので、筐体２に電源基板７を挿入する方向は、いずれの端部からでもよい。
リブ３１ａ、３１ｂの高さ（Ｈ１）は、電源基板７の幅方向の位置ずれを阻止できる最小限の高さに設定しているので、筐体２の長手方向全体に亘って設けても質量的には大きな増加とはならない。
すなわち、筐体の質量が増し、筐体が反りやすくなって、地震等の振動で落下する懸念もない。
逆に、リブによる補強効果で筐体の長手方向の剛性が向上するので、曲がりにくくなるという副次的効果も得ることができる。
【００３９】
上記のように、押出し成形等によりリブ３１ａ、３１ｂを設けることで、電源基板７の左右方向の動きはほとんど規制される。
【００４０】
筐体２と電源基板７と間にリーク電圧に対する必要な耐圧が確保できない場合は、図１１に示すように、両者の間に耐圧を確保できる薄板状の絶縁部材４１を設けておく。
電源基板７の基板幅Ｅ１に対し、絶縁部材４１の内寸は同等かやや大きめに設定する。
絶縁部材４１の外寸幅Ｅ２は、リブ間隔Ｅ３より大きく、スム−ズに挿入可能な幅に設定する。
【００４１】
リブ高さＨ２も（絶縁部材厚さ＋電源基板厚さ）よりは大きめに設定するが、絶縁部材高さＫ１よりは低くてもリブ３１ａ、３１ｂを電源基板７が乗り越えることはない。
クランプ１５で固定する場合は、絶縁部材４１にも穴を開けておき、筐体２と電源基板７間に挟むように設置し、クランプ１５を穴に挿入することで固定できる。
絶縁部材４１の穴（図示せず）は、クランプ１５を挿入した状態で電源基板７が絶縁部材４１よりはみ出さない位置に設ける。
なお、クランプ１５の代わりにネジ固定しても良い。
絶縁部材４１が挿入された場合も、（筐体平坦部厚さ＋絶縁部材厚さ＋電源基板厚さ）ｈ３≒クランプ首下長さｈ１としておけば、電源基板７の厚み方向の移動を規制することができる。
【００４２】
本実施形態では、絶縁部材４１の存在により電源基板７に流れる電流が筐体２に流れることはないので、感電等の怪我や火災等の心配がない。
【００４３】
上記各実施形態では、直管形ＬＥＤランプ１００を、蛍光灯を点灯可能な照明器具１５０に搭載可能な構成としたが、勿論ＬＥＤ専用の照明器具に装着する構成としてもよい。
【００４４】
以上、本発明の好ましい実施の形態について説明したが、本発明はかかる特定の実施形態に限定されるものではなく、上述の説明で特に限定しない限り、特許請求の範囲に記載された本発明の趣旨の範囲内において、種々の変形・変更が可能である。
本発明の実施の形態に記載された効果は、本発明から生じる最も好適な効果を例示したに過ぎず、本発明による効果は、本発明の実施の形態に記載されたものに限定されるものではない。
【符号の説明】
【００４５】
１ａ、１ｂ  口金
１２  ＬＥＤ素子
３９  記憶手段としてのメモリ装置
４２  制御手段としてのマイクロコンピュータ
１００  ＬＥＤランプとしての直管形ＬＥＤランプ
１５０  照明器具
２００  照明装置
【先行技術文献】
【特許文献】
【００４６】
【特許文献１】特表２０１３−５２７４８２号公報
【図１】
2017098045.tif 000003
【図２】
2017098045.tif 000004
【図３】
2017098045.tif 000005
【図４】
2017098045.tif 000006
【図５】
2017098045.tif 000007
【図６】
2017098045.tif 000008
【図７】
2017098045.tif 000009
【図８】
2017098045.tif 000010
【図９】
2017098045.tif 000011
【図１０】
2017098045.tif 000012
【図１１】
2017098045.tif 000013